(57)【要約】【課題】内側のハンドル用取付け板が、例えば外側のハンドル用取付け板に比較して長板体の形態である場合に、極力部品点数を少なくした上で、該長板体のハンドル用取付け板を確実、かつ容易に扉の内壁面に固定することができること。【解決手段】扉（３）の先端部内部空間（４）に挿嵌された錠箱（２）に水平方向に引き出すことができるように装着された可動締付板（７）と、ハンドル座用取付けベース板（１）の小孔（１０）及び扉内壁部（５）の扉貫通孔（９）を貫通して前記可動締付板のネジ孔（８）にねじ込まれ、かつ該可動締付板を前記扉内壁部の内面（５ａ）に当たる位置まで引き寄せて前記内側ハンドル座用取付けベース板を前記扉内壁部の外面（５ｂ）に固定する引寄せ用固着具（１１）とから成るハンドル座用取付けベース板の固定構造。【選択図】図４
2015101900.tif 000002
【特許請求の範囲】
【請求項１】
扉（３）の先端部内部空間（４）に挿嵌された錠箱（２）に水平方向に引き出すことができるように装着された可動締付板（７）と、ハンドル座用取付けベース板（１）の小孔（１０）及び扉内壁部（５）の扉貫通孔（９）を貫通して前記可動締付板のネジ孔（８）にねじ込まれ、かつ該可動締付板を前記扉内壁部の内面（５ａ）に当たる位置まで引き寄せて前記ハンドル座用取付けベース板を前記扉内壁部の外面（５ｂ）に固定する引寄せ用固着具（１１）とから成るハンドル座用取付けベース板の固定構造。
【請求項２】
請求項１に於いて、可動締付板は、締付部分（７ａ）と、この締付部分の内面から水平方向に延び、かつ、少なくとも錠箱の下部又は上部のいずれかに形成されたガイド孔に嵌入する複数本のガイド支軸（７ｂ）とから成ることを特徴とするハンドル座用取付けベース板の固定構造。
【請求項３】
請求項１又は請求項２に於いて、可動締付板の締付部分（７ａ）には支持小孔が形成され、また扉内壁部（５）にも前記支持小孔に対向する位置決め用小孔が形成され、該位置決め用小孔及び前記支持小孔に係入する係合棒を有する補助支板を介してハンドル座用取付けベース板が扉内壁部の外面（５ｂ）に保持されることを特徴とするハンドル座用取付けベース板の固定構造。
【請求項４】
請求項１に於いて、錠箱の幅広の両側壁には、上下方向にそれぞれ離間してサムターン軸用のサムターン作動筒（２１）、外側ハンドル軸用の第１作動筒（１８）及び内側ハンドル軸用の第２作動筒（２４）が回転自在に設けられ、前記サムターン作動筒、第１作動筒及び第２作動筒の各位置にそれぞれ対応して、扉内壁部（５）及び内側ハンドル座用取付けベース板（１）には、前記各軸用の孔（ａ１、ｂ１、ｃ１、ａ、ｂ、ｃ）がそれぞれ形成されていることを特徴とするハンドル座用取付けベース板の固定構造。
【請求項５】
請求項１に於いて、ハンドル座用取付けベース板の下端部側は、可動締付板（７）と引寄せ用固着具（１１）によって固定され、一方、ハンドル座用取付けベース板の上端部側は、扉外壁部を貫通する一方、扉内壁部を貫通しない締付けパイプと、ハンドル座用取付けベース板を介して前記締付けパイプに螺着する固着具によって固定されていることを特徴とするハンドル座用取付けベース板の固定構造。
【請求項６】
錠箱（２）に対する可動締付板装着工程Ａと、可動締付板（７）を装着した前記錠箱をその後端部から扉（３）の挿嵌口（４ａ）に嵌め込む錠箱の挿嵌工程Ｂと、ハンドル座用取付けベース板（１）を扉内壁部（５）の外面（５ｂ）にぴったりと宛がいながら引寄せ用固着具（１１）を前記可動締付板のネジ孔（８）にねじ込み、該可動締付板の締付部分（７ａ）の外面が前記扉内壁部の内面（５ａ）に当たる位置まで引き寄せ、かつ該可動締付板を前記内面に圧接することで、ハンドル座用取付けベース板を扉内壁部（５）の外面（５ｂ）に圧着状態に固定する取付けベース板固定工程Ｄとから成るハンドル座用取付けベース板の固定方法。
【発明の詳細な説明】
【技術分野】
【０００１】
本発明は、ハンドル座用取付けベース板の固定構造及びその固定方法に関する。
【背景技術】
【０００２】
特許文献１及び特許文献２にはドア錠のハンドル取付け装置が記載されている。この種のハンドル取付け装置の内外のハンドル用取付け板（固定板）及びハンドル座は、外観上略同一の大きさ並びに同一形態に形成され、長杆状角軸の軸心上に揃うように複数個の固着具を介して配設されている。
【０００３】
すなわち、例えば特許文献２には、「扉の内外の側壁に互いに対向して固定される略同一の大きさ・形態の内外の固定板と、これらの固定板並びに錠箱を貫通した長杆状角軸の端部にそれぞれ取付けられる内外のハンドルと、これらのハンドルの軸部にそれぞれ嵌合すると共に、前記内外の固定板に対してそれぞれ固定される内外のハンドル座を備えた錠把手の取付け構造」が記載されている。
【０００４】
ところで、外側のハンドル座と内側のハンドル座の大きさ・形態を異なるものにしたいという要望がある場合、例えば外側のハンドル座をデザイン・構造・機能上の理由から既存のハンドル座と同様に大きくする必要がない一方、内側のハンドル座の中に複数本の電池を収納する、サムターン軸、内側ハンドル軸等を設けたい場合には、必然的に内側のハンドル座及び取付け板を弁当箱或いは縦長板体に形成しなければならない。このような場合には、扉の内壁面に配設する内側の取付け板の上部側や下部側を確実に固定したいという要望がある。
【０００５】
ところで、特許文献３には、「錠箱５を、該錠箱の一側に固定的に設けた筒状連結体７及び該筒状連結体７のメネジに螺合する筒状螺合体２０、及び扉１の内壁面４に添えた内側ハンドル座用の内側固定板３０の開口４１及び支持板１６の固着具用孔４７を貫通し、かつ前記筒状連結体７のメネジ部に螺合する複数本の固着具１６、１６を介して扉１の内部の内壁面側に引き寄せる事項」が記載されている。
【０００６】
この特許文献３は、複数本の固着具１６、１６を筒状連結体７のメネジにねじ込むことによって錠箱を所望の位置まで微調節しながら引き寄せることができるという利点があるものの、内側ハンドル座用の内側取付け板３０は、筒状連結体７、この筒状連結体に螺合する筒状螺合体２０及び内側取付け板３０の外面に面接触状態に圧着する支持板１６等の複数の部材によって扉１の内壁面４に固定しなければならないという問題点がある（符号は特許文献３に記載のもの）。つまり、部品点数が多く、また容易に内側取付け板３０を扉の内壁面に固定することができない。
【先行技術文献】
【特許文献】
【０００７】
【特許文献１】実公昭４６−５０８２号公報
【特許文献２】特許第３７７３２９０号公報
【特許文献３】特開２００５−３０００１号公報
【発明の概要】
【発明が解決しようとする課題】
【０００８】
本願発明の第１目的は、特許文献１及び特許文献２の如く、ハンドル取付け装置の内外のハンドル用取付け板及びハンドル座が外観上略同一の大きさ並びに同一形態でない場合、例えば内側のハンドル用取付け板が外側のハンドル用取付け板に比較して長板体の形態である場合に、極力部品点数を少なくした上で、該長板体のハンドル用取付け板を確実、かつ容易に扉の内壁面に固定することができるである。第２目的は、室内外の扉付近の床面に高低差があり、内外のハンドルの取付け位置を上下方向にずらしたいときや複数本の連結パイプ及び該連結パイプに螺着する複数本の螺杆でもって内外のハンドルを同一軸心上に配設するのに不都合がある場合に、扉の内壁面側から固着具をねじ込むだけで、内側のハンドル用取付け板の少なくとも一端部側を扉の内壁面に簡単に固定することができることである。
【課題を解決するための手段】
【０００９】
本発明のハンドル座用取付けベース板の固定構造は、扉３の先端部内部空間４に挿嵌された錠箱２に水平方向に引き出すことができるように装着された可動締付板７と、ハンドル座用取付けベース板１の小孔１０及び扉内壁部５の扉貫通孔９を貫通して前記可動締付板のネジ孔８にねじ込まれ、かつ該可動締付板を前記扉内壁部の内面５ａに当たる位置まで引き寄せて前記ハンドル座用取付けベース板を前記扉内壁部の外面５ｂに固定する引寄せ用固着具１１とから成ることを特徴とする。
【００１０】
また、本発明のハンドル座用取付けベース板の固定方法は、錠箱２に対する可動締付板装着工程Ａと、可動締付板７を装着した前記錠箱をその後端部から扉３の挿嵌口４ａに嵌め込む錠箱の挿嵌工程Ｂと、ハンドル座用取付けベース板１を扉内壁部５の外面５ｂにぴったりと宛がいながら引寄せ用固着具１１を前記可動締付板のネジ孔８にねじ込み、該可動締付板の締付部分７ａの外面が前記扉内壁部の内面５ａに当たる位置まで引き寄せ、かつ該可動締付板を前記内面に圧接することで、ハンドル座用取付けベース板を扉内壁部５の外面５ｂに圧着状態に固定する取付けベース板固定工程Ｄとから成ることを特徴とする。
【発明の効果】
【００１１】
（ａ）請求項１及び請求項６に記載の発明は、ハンドル取付け装置の内外のハンドル用取付け板及びハンドル座が外観上略同一の大きさ並びに同一形態でない場合、例えば内側のハンドル用取付け板が外側のハンドル用取付け板に比較して長板体の形態である場合に、極力部品点数を少なくした上で、該長板体のハンドル用取付け板を確実、かつ容易に扉の内壁面に固定することができる。また、本発明の第２目的の要望を満たすことができる。なお、外側のハンドル用取付け板が内側のハンドル用取付け板に比較して長板体の形態である場合も同様である。
（ｂ）請求項２に記載の発明は、可動締付板は、締付部分（７ａ）と、この締付部分の内面から水平方向に延び、かつ、少なくとも錠箱の下部又は上部のいずれかに形成されたガイド孔に嵌入する複数本のガイド支軸（７ｂ）とから成るので、可動締付板を引寄せ用固着具（１１）で引き寄せるとき、安定した状態で（傾倒することなく）、そのまま扉内壁部の内面に引き寄せることができる。
（ｃ）請求項３に記載の発明は、位置決め用小孔及び前記支持小孔に係入する係合棒を有する補助支板を用いたので、内側ハンドル座用取付けベース板の位置決めが容易であると共に、ハンドル座用取付けベース板が落下しないので、容易に引寄せ用固着具（１１）を可動締付板のネジ孔（８）にねじ込むことができる。
（ｄ）請求項４に記載の発明は、例えば内側ハンドル座用取付けベース板に直接又は間接的に電池を装着すると共に、サムターン軸、内外のハンドル軸等を嵌挿することができる。
（ｅ）請求項５に記載の発明は、例えば内側ハンドル座用取付けベース板の下端部側は、可動締付板（７）と引寄せ用固着具（１１）によって固定され、一方、内側ハンドル座用取付けベース板の上端部側は、扉外壁部を貫通する一方、扉内壁部を貫通しない締付けパイプと、内側ハンドル座用取付けベース板を介して前記締付けパイプに螺着する固着具によって固定されているので、既存の固定手段と組み合わせることができる。
【図面の簡単な説明】
【００１２】
図１乃至図５は本発明の第１実施形態（物の発明）を示す各説明図、図６乃至図８は本発明の第２実施形態を示す各説明図、図９至図１１は本発明の第３実施形態を示す各説明図。図１２至図１５は本発明の第４実施形態を示す各説明図。図１６は本発明の第１実施形態おける主要部の方法の発明を示す工程図。
【図１】本発明の主要部の概略説明図（可動締付板７を錠箱１に装着する前）。
【図２】可動締付板７を錠箱１に装着した状態の説明図。
【図３】錠箱１を扉３の先端部内部空間４に挿嵌した縦断面概略説明図。
【図４】図３に於いて、引寄せ用固着具１１を可動締付板７にねじ込んで、該可動締付板７を扉内壁部５の内面５ａに圧着固定した状態の説明図。
【図５】図４に於いて、サンターン、外側ハンドル、内側ハンドルが対応する各作動筒（作動カム）にそれぞれ取付けた状態の概略説明図。
【図６】本発明の可動締付板７Ａの第２実施形態を示す斜視図。
【図７】可動締付板７Ａ及び引寄せ用固着具１１の斜視図。
【図８】図１と同様の概略説明図（可動締付板７Ａを錠箱１に装着する前）。
【図９】本発明の第３実施形態を示す各説明図。
【図１０】第３実施形態の上部側の固定手段の説明図。
【図１１】図５と同様の説明図。
【図１２】本発明の第４実施形態の主要部を示す説明図。
【図１３】要部の概略縦断面説明図。
【図１４】補助支板を取付けベース板に固定し、その係合棒を扉貫通孔に係入する前の説明図。
【図１５】補助支板を介して取付けベース板に固定した状態の説明図。
【図１６】本発明の第１実施形態おける主要部の方法の発明を示す工程図。
【発明を実施するための最良の形態】
【００１３】
図１乃至図５は、本発明の第１実施形態のドア錠における内側ハンドル座用取付けベース板１の固定構造（以下、「固定構造Ｘ」という。）である。ここで「ドア錠」とは、ラッチ、デットボルト、サムターン、作動筒等の錠構成部材が錠箱に適宜に組み込まれ、玄関ドア、室内ドア、トイレ扉など建具の開閉扉の先端部に錠箱が挿嵌されるものをいう。固定構造Ｘの主な構成部材は、錠箱２と、該錠箱２に水平方向に引き出すことができるように装着される可動締付板７と、この可動締付板７を扉内壁部５の内面５ａに当たる位置まで引き寄せて内側ハンドル座用取付けベース板１を扉内壁部５の外面（扉内壁面）５ｂに固定する引寄せ用固着具１１である。
【００１４】
すなわち、この固定構造Ｘは、錠箱２の扉３の先端部内部空間４を形成する扉内壁部５の内面５ａに対し、多少の間隙を有して対向する幅広一側壁２ａに形成された単数或いは左右一対のガイド孔（６ａ、６ｂ）６と、扉３の先端部内部空間４と連通する挿嵌口４ａに錠箱２を嵌め込む前（図１参照）に、一本或いは左右一対のガイド支軸７ｂを介して該錠箱２の前述したガイド孔６に水平方向にスライド可能に装着される少なくとも１個の可動締付板７（図２参照）と、この可動締付板７に形成された少なくとも１個のネジ孔８と、この可動締付板７のネジ孔８に符合するように扉３の扉内壁部５に形成された少なくとも１個の扉貫通孔９と、この扉貫通孔９と符合する小孔１０を有する内側ハンドル座１２用の縦方向の長板体の取付けベース板１と、前記可動締付板７を装着したままの状態で前記扉３の挿嵌口４ａから先端部内部空間４へと挿嵌された錠箱２を扉３に位置けした際（図３参照）に、扉内壁部５の外面５ｂ側から取付けベース板１の小孔１０及び扉内壁部５の貫通孔９をそれぞれ介して、前記可動取付板７のネジ孔８にねじ込まれ、かつ、該可動締付板７をその締付部分７ａの前面が扉内壁部５ａに圧着固定し得るように引寄せる少なくとも１本の引寄せ用固着具１１とから成る（図４参照）。
【００１５】
第１実施形態の固定構造Ｘは、錠箱２を扉３の挿嵌口４ａに縦方向に嵌め込むので、例えば左右一対のガイド孔（６ａ、６ｂ）６は、幅広一側壁２ａの上下端部にそれぞれ設けられている。ここでのガイド孔６の「左右」は、幅広一側壁２ａの正面視（図１）を基準としている。したがって、可動締付板７は、その左右のガイド支軸７ａ、７ｂを左右のガイド孔６ａ、６ｂに差し込むことにより、錠箱２の上部と下部に合計２個水平動自在に添設状態に設けられる。
【００１６】
ところで、扉内壁部５の外面５ｂに対する取付けベース板１の取付け位置如何又は取付け態様によっては、上部側又は下部側に可動締付板７の一方のみを錠箱２のガイド孔６に装着し、取付けベース板の他端部（上端部又は下端部のいずれか一方）を錠箱２の存する以外の上下の箇所で適宜に固定しても良い（第３実施形態を参照）。
【００１７】
さて、図３、図４及び図５で示すように、錠箱２の幅広一側壁２ａのガイド孔６は、可動締付板７のガイド支軸７ｂを安定的に支持することができるように、例えば内面から突出する短筒状部１５となっている。
【００１８】
もちろん、この短筒状部１５は、本発明の本質的事項ではなく、例えば、幅広一側壁２ａと対向する他方の幅広一側壁２ｂの内面に至る長さの長筒状部であっても良く、また両側壁２ａ、２ｂにそれぞれ形成した一対の単純な貫通孔であっても良い。
また可動締付板７のガイド支軸７ｂは左右に一対形成されているが、ガイド支軸７ｂの断面形状を角軸に形成することにより、一本にすることもできる。この場合には、錠箱の幅広一側壁２ａに形成するガイド孔６も一つである。
【００１９】
さらに、錠箱２の両側壁２ａ、２ｂには、複数個の不番の支持孔が、上下方向に所要間隔を有してそれぞれ形成され、例えば、錠箱２の略中央部の支持孔には外側ハンドル１６のハンドル軸１７が嵌挿する第１作動筒（作動カム）１８が回動自在に支持され、該第１作動筒１８を基準として下部側の支持孔にはサムターン１９のサムターン軸２０が嵌挿するサムターン作動筒（作動カム）２１が回動自在に支持され、さらに上部側の支持孔には内側ハンドル２２のハンドル軸２３が嵌挿する第２作動筒（作動カム）２４が回動自在に支持される。
【００２０】
ところで、実施形態の内側ハンドル座用取付けベース板１は、縦方向の矩形状長板体であり、この矩形状長板体１には、上下方向にサムターン軸用の孔ａ、外側ハンドル軸用の孔ｂ及び内側ハンドル軸用の孔ｃがそれぞれ所要間隔離間して形成され、これらの各軸用孔ａ、ｂ、ｃは、扉３の扉内壁部５の各孔ａ１、ｂ１、ｃ１及び錠箱２の形成した不番の各支持孔に符合する。
【００２１】
なお、図１及び図２に於いて、２ｃは取付け孔等を有する前板、２ｄは取付け孔等を有するフロント板である。その余のドア錠の内部構造は、本発明の特定要件ではないので、詳細な説明は割愛する。
ここで、図１６を参照にして、本発明の第１実施形態おける主要部の方法の発明、すなわち、内側ハンドル座用取付けベース板の固定方法Ｙを説明する。以下、構成部材の符号は第１実施形態のものを用いる。
【００２２】
この固定方法Ｙは、錠箱２に水平方向に引き出すことができるように装着される可動締付板７と、この可動締付板７を扉内壁部５の内面５ａに当たる位置まで引き寄せて内側ハンドル座用取付けベース板１を扉内壁部５の外面（扉内壁面）５ｂに固定する引寄せ用固着具１１を用いた点に特徴がある。
【００２３】
図１６に於いて、まずＡは錠箱２に対する可動締付板装着工程である。この可動締付板装着工程Ａでは、少なくとも錠箱２の下部又は上部のいずれかに形成された少なくとも１個のガイド孔６に嵌入する少なくとも１本のガイド支軸７ｂを有する可動締付板７を、その板状の締付部分７ａの内面が錠箱２の幅広一側壁２ａの外面に当接するまで嵌め込む。これにより、可動締付板７は錠箱２から手前（外）に水平状態のまま引き出すことが可能となる。
【００２４】
次にＢは錠箱の挿嵌工程である。この錠箱の挿嵌工程Ｂでは、可動締付板７を装着した錠箱２を、その後端部から扉３の挿嵌口４ａに嵌め込む。この時、実施形態如何によっては、可動締付板７の締付部分７ａの内面から水平状態に延びるガイド支軸７ｂが錠箱２の他方の幅広一側壁２ｂから若干突出している場合もあるので、実施化レベルでこのような実施形態を採用する場合には、挿嵌口４ａの幅を錠箱２のそれよりも多少大きめに設定するか、又は挿嵌口４ａの縁部を若干切欠すると良い。
【００２５】
次にＣは引寄せ用固着具挿通工程である。この引寄せ用固着具挿通工程Ｃでは、内側ハンドル座用取付けベース板１を扉内壁部５の外面（扉内壁面）５ｂにぴったりと宛がいながら引寄せ用固着具１１を該取付けベース板１の小孔１０及び扉貫通孔９に差込む。この工程では、扉貫通孔９に取付けベース板１の小孔１０を合わせなければならないので、図示しない取付けベース板用ホルダー具、係止具、接着テープ等の仮止め手段を適宜に用いて取付けベース板１を扉内壁部５の外面（扉内壁面）５ｂに仮止めするのが望ましい。
【００２６】
最後にＤは取付けベース板固定工程である。この取付けベース板固定工程Ｄでは、単数又は複数の引寄せ用固着具１１を可動締付板７の単数又は複数のネジ孔８にねじ込み、可動締付板７の締付部分７ａの外面が扉内壁部５の内面５ａに当たる位置まで引き寄せ、かつ該可動締付板７を前記内面５ａに圧接することで、取付けベース板１を扉内壁部５の外面５ｂに圧着状態に固定する。この時、可動締付板７は錠箱のガイド孔６及びガイド支軸７ｂを介して水平状態に移動し、その締付部分７ａの外面が扉内壁部５の内面５ａに面接触状態に圧接する。
【００２７】
したがって、望ましくは、扉内壁部５の外面５ｂにも固着具用の貫通小孔を有する円形又は角形の支板を添設し、該支板と前記可動締付板７の締付部分７ａの両方で、いわばサンドイッチ状態に取付けベース板１を扉内壁部５の外面５ｂに圧着状態に固定するのが望ましい。
【００２８】
上記のように取付けベース板１を扉内壁部５の外面５ｂに固定した後、ケース状の内側ハンドル座１２を取付けベース板１に係合手段又は固着手段を介して係着或いは固定し、その後、図５で示すように、サムターン９、外側ハンドル１６、内側ハンドル２２を扉１乃至錠箱２にそれぞれ装着する。
【実施例】
【００２９】
実施形態では、内側ハンドル座用取付けベース板の固定構造を一例にして説明したが、実施の環境如何によっては、外側ハンドル座用取付けベース板の固定構造にも適用することができる。また実施形態では、可動締付板７は横長矩形状であるが、該形状は円形、楕円形等任意の形状に変更することができる。可動締付板７は、望ましくは、締付部分７ａと、この締付部分の内面から水平方向に延び、かつ錠箱の下部又は上部のいずれかに形成されたガイド孔に嵌入する複数本のガイド支軸７）とから成るが、前記ガイド支軸７ｂは、例えば左右一対又は上下一対設けられている。
【００３０】
また、取付けベース板１は、上部の固定構造Ｘは、下部の固定構造Ｘと全く同様に、錠箱２の上部に装着した上方の可動締付板７と、このネジ孔８に螺合する上方の引寄せ用固着具１１で確実に固定されているが、後述の実施形態で説明するように、必ずしも、下部の固定構造Ｘと全く同様にする必要はない。
【００３１】
次に、図６乃至図１５を参照にして、本発明の他の実施形態を説明する。なお、他の実施形態の説明に当って、第１実施形態と同一の部分には同一又は同様の符号を付して重複する説明を割愛する。
【００３２】
まず、図６乃至図８は本発明の第２実施形態を示す各説明図である。この第２実施形態が第１実施形態と主に異なる点は、可動締付板７Ａに複数個のネジ孔８、８を左右に形成したことである（図６及び図７参照）。したがって、この第２実施形態の可動締付板７Ａは、二本の引寄せ用固着具１１を前記ネジ孔８、８によって引き寄せられ、かつ該可動締付板７Ａが扉内壁部５の内面５ａに圧接することで、取付けベース板１を扉内壁部５の外面５ｂに圧着状態に固定する。このように構成すると、可動締付板７Ａと取付けベース板１の両板を、扉内壁部５の内面５ａと外面５ｂにそれぞれ強固（確実）に固定することがでる。この第２実施形態では、引寄せ用固着具１１の本数に合わせて扉貫通孔９及び小孔１０を増やしている。
【００３３】
次に、図９乃至図１１は本発明の第３実施形態を示す各説明図である。この第３実施形態が第１実施形態と主に異なる点は、取付けベース板１Ａの上部側の固定構造Ｙである。第１実施形態では取付けベース板１Ａの下部側の固定構造Ｘと上部側の固定構造Ｘは同一であるが、第３実施形態では取付けベース板１Ａの上部側の固定構造Ｙは、従来の固定構造と同様である。
【００３４】
すなわち、内側ハンドル座用取付けベース板１Ａの下端部側は、第１実施形態と同様に可動締付板７と引寄せ用固着具１１によって固定され、一方、内側ハンドル座用取付けベース板１Ａの上端部側は、扉外壁部２６を貫通する一方、扉内壁部５を貫通しない締付けパイプ２８と、内側ハンドル座用取付けベース板１Ａを介して前記締付けパイプのメネジに螺着する固着具２９によって固定されている。この第３実施形態では、出入力機能・認証機能等を有する錠制御部を収納したが扉外壁部２６の外面に添設され、該筺体３０（ベース板３０ａとケース体３０ｂ）の下端部側は前記締付けパイプ２８で、一方、筺体３０の上端部側はその余の固着具３１で固定されている。またメネジを有する締付けパイプ２８は、筺体３０を構成するケース体３０ｂの内壁面に突出形成しても良いし、また別体であっても良い。このように構成すると、既存の固定手段（例えば特許文献２）と組み合わせることができる。
【００３５】
最後に、図１２乃至図１５は本発明の第４実施形態を示す各説明図である。この第４実施形態は、第２実施形態を前提にしているので、第２実施形態と同一の部分には同一の符号を付す。図１２では、手前側に外面下端部に電池装着部分３５、中央部の左右部位に小ネジ３６用孔３７、上端部の左右部位に引寄せ用固着具１１の孔３８、そして、その内面上部の中央部に所定長の係合棒３９を有する補助支板３４が図示されている。
係合棒３９は、内側ハンドル座用取付けベース板１Ｂの合わせ孔４０、扉内壁部５に形成した位置決め用小孔４１及び可動締付板７Ｂの略中央部に形成した支持小孔４２にそれぞれ水平線上に係入可能である。
【００３６】
付言すると、第４実施形態の可動締付板７Ｂの締付部分７ａには支持小孔４２が形成され、また扉内壁部５にも前記支持小孔４１に対向する位置決め用小孔４１が形成され、合わせ孔４０、位置決め用小孔４１及び前記支持小孔４２にそれぞれ係入する係合棒３９を有する補助支板３４を介して内側ハンドル座用取付けベース板１Ｂが扉内壁部５の外面５ｂに保持される。
【００３７】
しかして、図１３は内側ハンドル座用取付けベース板１Ｂと補助支板３４の概略縦断面説明図で、矢印で示すように係合棒３９を内側ハンドル座用取付けベース板１Ｂの合わせ孔４０に係入し、図１４で示すはように小ネジ３６で補助支板３４を内側ハンドル座用取付けベース板１Ｂの外面に一体的に固定すると、補助支板３４を介して取付けベース板１Ｂを落下することなく扉内壁部５の外面５ｂに固定することができる。
【産業上の利用可能性】
【００３８】
本発明は、錠前や建具の分野で利用することができる。
【符号の説明】
【００３９】
Ｘ、Ｙ…固定構造、１、１Ａ、１Ｂ…取付けベース板、２…錠箱、２ａ…幅広一側壁、３…扉、４ａ…挿嵌口、４…先端部内部空間、５…扉内壁部、５ａ…内面、６…ガイド孔（６ａ、６ｂ）、７、７Ａ、７Ｂ…可動締付板、７ａ…締付部分、７ｂ…ガイド支軸、８…ネジ孔、９…扉貫通孔、１０…小孔、１１…引寄せ用固着具、１２…内側ハンドル座、１３…、１４…、１５…短筒状部、１６…外側ハンドル、１７…ハンドル軸、１８…第１作動筒（作動カム）、１９…サムターン、２０…サムターン軸、２１…サムターン作動筒（作動カム）、２２…内側ハンドル、２３…ハンドル軸、２４…第２作動筒（作動カム）、２６…外壁部、２８…締付けパイプ、２９…その余の固着具、３４…補助支板、３９…係合棒、Ａ…可動締付板装着工程、Ｂ…錠箱の挿嵌工程、Ｃ…引寄せ用固着具挿通工程、Ｄ…取付けベース板固定工程。
【図１】
2015101900.tif 000003
【図２】
2015101900.tif 000004
【図３】
2015101900.tif 000005
【図４】
2015101900.tif 000006
【図５】
2015101900.tif 000007
【図６】
2015101900.tif 000008
【図７】
2015101900.tif 000009
【図８】
2015101900.tif 000010
【図９】
2015101900.tif 000011
【図１０】
2015101900.tif 000012
【図１１】
2015101900.tif 000013
【図１２】
2015101900.tif 000014
【図１３】
2015101900.tif 000015
【図１４】
2015101900.tif 000016
【図１５】
2015101900.tif 000017
【図１６】
2015101900.tif 000018